(57)【特許請求の範囲】
【請求項１】
ランプチューブ（１）と、電源ユニット（５）と、ランプパネルユニット（４）と、上チューブヘッド（３）と、下チューブヘッド（２）とを含み、上チューブヘッド（３）と下チューブヘッド（２）はいずれも２つ設けられており、各上チューブヘッド（３）にそれぞれランプ脚（９）を対称的に設け、電源ユニット（５）及びランプパネルユニット（４）がランプチューブ（１）内に位置し、２つの下チューブヘッド（２）をそれぞれランプチューブ（１）の両端に被設し、各下チューブヘッド（２）の外側にそれぞれ１つの上チューブヘッド（３）を嵌設するＬＥＤ回転式電源内蔵昼光ランプにおいて、
前記電源ユニット（５）とランプパネルユニット（４）の間に、電源ユニット（５）とランプパネルユニット（４）との電気接続を実現するピンヘッダ（６）が設けられ、ピンヘッダ（６）に両側が対応して接続されるピン（６１）を設け、電源ユニット（５）及びランプパネルユニット（４）にそれぞれピン（６１）と溶接する接続挿入孔（４５）を設け、電源ユニット（５）及びランプパネルユニット（４）における接続挿入孔（４５）がそれぞれ対応する電気接続回路に接続しており、前記２つの上チューブヘッド（３）の開口端にそれぞれ１つ以上の位置調整ボス（３２）及び位置制限ボス（３１）を設け、２つの下チューブヘッド（２）内にそれぞれ仕切り板（２４）を設け、仕切り板（２４）と下チューブヘッド（２）内壁との連結部にそれぞれ１つ以上の位置調整ストッパー（２２）及び位置制限ストッパー（２１）を設け、位置調整ストッパー（２２）及び位置制限ストッパー（２１）がそれぞれ上チューブヘッド（３）の開口端の位置調整ボス（３２）及び位置制限ボス（３１）と係合し、仕切り板（２４）にさらに配線孔（２５）を設け、
前記電源ユニット（５）がランプパネルユニット（４）の上端に位置し、ピンヘッダ（６）に４組のピン（６１）を設け、電源ユニット（５）及びランプパネルユニット（４）にそれぞれ４組のピン（６１）と溶接する４つの接続挿入孔（４５）を設け、前記各上チューブヘッド（３）の開口端にそれぞれ２つの位置調整ボス（３２）及び２つの位置制限ボス（３１）を設け、２つの位置調整ボス（３２）と２つの位置制限ボス（３１）はいずれも対称的に設置され、且つ上チューブヘッド（３）の開口端に沿って十字に交差配置され、各下チューブヘッド（２）内壁と仕切り板（２４）との連結部にそれぞれ６つの位置調整ストッパー（２２）及び２つの位置制限ストッパー（２１）を設け、６つの位置調整ストッパー（２２）及び２つの位置制限ストッパー（２１）は下チューブヘッド（２）内壁に沿って４５°でリング状に配置され、且つ６つの位置調整ストッパー（２２）は２つずつ対称的に設置され、２つの位置制限ストッパー（２１）は対称的に設置されることを特徴とするＬＥＤ回転式電源内蔵昼光ランプ。
【請求項２】
前記上チューブヘッド（３）と下チューブヘッド（２）は復帰部材（８）がつけられている締め付け部材（７）によって固定され、上チューブヘッド（３）に段差取り付け孔（３３）が内蔵され、下チューブヘッド（２）の仕切り板（２４）に段差取り付け孔（３３）と同一の軸線を有する固定孔（２３）が設けられ、復帰部材（８）がつけられている締め付け部材（７）は段差取り付け孔（３３）を貫通し、且つ固定孔（２３）と係合し、復帰部材（８）が段差取り付け孔（３３）内に位置することを特徴とする請求項１に記載のＬＥＤ回転式電源内蔵昼光ランプ。
【請求項３】
ランプチューブ（１）と、電源ユニット（５）と、ランプパネルユニット（４）と、上チューブヘッド（３）と、下チューブヘッド（２）とを含み、上チューブヘッド（３）と下チューブヘッド（２）はいずれも２つ設けられており、各上チューブヘッド（３）にそれぞれランプ脚（９）を対称的に設け、電源ユニット（５）及びランプパネルユニット（４）がランプチューブ（１）内に位置し、２つの下チューブヘッド（２）をそれぞれランプチューブ（１）の両端に被設し、各下チューブヘッド（２）の外側にそれぞれ１つの上チューブヘッド（３）を嵌設するＬＥＤ回転式電源内蔵昼光ランプにおいて、
前記電源ユニット（５）とランプパネルユニット（４）の間に、電源ユニット（５）とランプパネルユニット（４）との電気接続を実現するピンヘッダ（６）が設けられ、ピンヘッダ（６）に両側が対応して接続されるピン（６１）を設け、電源ユニット（５）及びランプパネルユニット（４）にそれぞれピン（６１）と溶接する接続挿入孔（４５）を設け、電源ユニット（５）及びランプパネルユニット（４）における接続挿入孔（４５）がそれぞれ対応する電気接続回路に接続しており、前記２つの上チューブヘッド（３）の開口端にそれぞれ１つ以上の位置調整ボス（３２）及び位置制限ボス（３１）を設け、２つの下チューブヘッド（２）内にそれぞれ仕切り板（２４）を設け、仕切り板（２４）と下チューブヘッド（２）内壁との連結部にそれぞれ１つ以上の位置調整ストッパー（２２）及び位置制限ストッパー（２１）を設け、位置調整ストッパー（２２）及び位置制限ストッパー（２１）がそれぞれ上チューブヘッド（３）の開口端の位置調整ボス（３２）及び位置制限ボス（３１）と係合し、仕切り板（２４）にさらに配線孔（２５）を設け、
前記位置制限ボス（３１）に位置制限脚（３１１）を設け、位置制限ストッパー（２１）はＬ状を呈し、且つその横方向部分と縦方向部分との交差部から下チューブヘッド（２）内壁までの間隔距離が、位置調整ボス（３２）の厚さより大きく、位置制限ボス（３１）から伸び出した位置制限脚（３１１）の伸び出し長さより小さく、位置制限ストッパー（２１）の高さは位置調整ストッパー（２２）の高さより大きく、上チューブヘッド（３）が位置調整ストッパー（２２）から離脱するように引き抜かれる時の引き抜き距離は、位置調整ストッパー（２２）の高さより大きく且つ位置制限ストッパー（２１）の高さより小さいことを特徴とするＬＥＤ回転式電源内蔵昼光ランプ。
【請求項４】
ランプチューブ（１）と、電源ユニット（５）と、ランプパネルユニット（４）と、上チューブヘッド（３）と、下チューブヘッド（２）とを含み、上チューブヘッド（３）と下チューブヘッド（２）はいずれも２つ設けられており、各上チューブヘッド（３）にそれぞれランプ脚（９）を対称的に設け、電源ユニット（５）及びランプパネルユニット（４）がランプチューブ（１）内に位置し、２つの下チューブヘッド（２）をそれぞれランプチューブ（１）の両端に被設し、各下チューブヘッド（２）の外側にそれぞれ１つの上チューブヘッド（３）を嵌設するＬＥＤ回転式電源内蔵昼光ランプにおいて、
前記電源ユニット（５）とランプパネルユニット（４）の間に、電源ユニット（５）とランプパネルユニット（４）との電気接続を実現するピンヘッダ（６）が設けられ、ピンヘッダ（６）に両側が対応して接続されるピン（６１）を設け、電源ユニット（５）及びランプパネルユニット（４）にそれぞれピン（６１）と溶接する接続挿入孔（４５）を設け、電源ユニット（５）及びランプパネルユニット（４）における接続挿入孔（４５）がそれぞれ対応する電気接続回路に接続しており、前記２つの上チューブヘッド（３）の開口端にそれぞれ１つ以上の位置調整ボス（３２）及び位置制限ボス（３１）を設け、２つの下チューブヘッド（２）内にそれぞれ仕切り板（２４）を設け、仕切り板（２４）と下チューブヘッド（２）内壁との連結部にそれぞれ１つ以上の位置調整ストッパー（２２）及び位置制限ストッパー（２１）を設け、位置調整ストッパー（２２）及び位置制限ストッパー（２１）がそれぞれ上チューブヘッド（３）の開口端の位置調整ボス（３２）及び位置制限ボス（３１）と係合し、仕切り板（２４）にさらに配線孔（２５）を設け、
前記上チューブヘッド（３）と下チューブヘッド（２）は復帰部材（８）がつけられている締め付け部材（７）によって固定され、上チューブヘッド（３）に段差取り付け孔（３３）が内蔵され、下チューブヘッド（２）の仕切り板（２４）に段差取り付け孔（３３）と同一の軸線を有する固定孔（２３）が設けられ、復帰部材（８）がつけられている締め付け部材（７）は段差取り付け孔（３３）を貫通し、且つ固定孔（２３）と係合し、復帰部材（８）が段差取り付け孔（３３）内に位置し、
前記位置制限ボス（３１）に位置制限脚（３１１）を設け、位置制限ストッパー（２１）はＬ状を呈し、且つその横方向部分と縦方向部分との交差部から下チューブヘッド（２）内壁までの間隔距離が、位置調整ボス（３２）の厚さより大きく、位置制限ボス（３１）から伸び出した位置制限脚（３１１）の伸び出し長さより小さく、位置制限ストッパー（２１）の高さは位置調整ストッパー（２２）の高さより大きく、上チューブヘッド（３）が位置調整ストッパー（２２）から離脱するように引き抜かれる時の引き抜き距離は、位置調整ストッパー（２２）の高さより大きく且つ位置制限ストッパー（２１）の高さより小さいことを特徴とするＬＥＤ回転式電源内蔵昼光ランプ。
【請求項５】
前記電源ユニット（５）とランプパネルユニット（４）の間に絶縁板（１４）を設け、ランプパネルユニット（４）の下端にランプカバー（１０）を設け、ランプカバー（１０）がランプチューブ（１）に固定され、前記固定孔（２３）と下チューブヘッド（２）の内壁の間の仕切り板（２４）に補強リブ（１３）を設け、前記上チューブヘッド（３）の外側にランプ脚（９）と係合するチューブヘッド保護カバー（１２）を設け、前記上チューブヘッド（３）の段差取り付け孔（３３）内にチューブ栓（１１）を設け、チューブ栓（１１）が締め付け部材（７）の外側に位置することを特徴とする請求項２に記載のＬＥＤ回転式電源内蔵昼光ランプ。
【請求項６】
ランプチューブ（１）と、電源ユニット（５）と、ランプパネルユニット（４）と、上チューブヘッド（３）と、下チューブヘッド（２）とを含み、上チューブヘッド（３）と下チューブヘッド（２）はいずれも２つ設けられており、各上チューブヘッド（３）にそれぞれランプ脚（９）を対称的に設け、電源ユニット（５）及びランプパネルユニット（４）がランプチューブ（１）内に位置し、２つの下チューブヘッド（２）をそれぞれランプチューブ（１）の両端に被設し、各下チューブヘッド（２）の外側にそれぞれ１つの上チューブヘッド（３）を嵌設するＬＥＤ回転式電源内蔵昼光ランプにおいて、
前記電源ユニット（５）とランプパネルユニット（４）の間に、電源ユニット（５）とランプパネルユニット（４）との電気接続を実現するピンヘッダ（６）が設けられ、ピンヘッダ（６）に両側が対応して接続されるピン（６１）を設け、電源ユニット（５）及びランプパネルユニット（４）にそれぞれピン（６１）と溶接する接続挿入孔（４５）を設け、電源ユニット（５）及びランプパネルユニット（４）における接続挿入孔（４５）がそれぞれ対応する電気接続回路に接続しており、前記２つの上チューブヘッド（３）の開口端にそれぞれ１つ以上の位置調整ボス（３２）及び位置制限ボス（３１）を設け、２つの下チューブヘッド（２）内にそれぞれ仕切り板（２４）を設け、仕切り板（２４）と下チューブヘッド（２）内壁との連結部にそれぞれ１つ以上の位置調整ストッパー（２２）及び位置制限ストッパー（２１）を設け、位置調整ストッパー（２２）及び位置制限ストッパー（２１）がそれぞれ上チューブヘッド（３）の開口端の位置調整ボス（３２）及び位置制限ボス（３１）と係合し、仕切り板（２４）にさらに配線孔（２５）を設け、
前記上チューブヘッド（３）と下チューブヘッド（２）は復帰部材（８）がつけられている締め付け部材（７）によって固定され、上チューブヘッド（３）に段差取り付け孔（３３）が内蔵され、下チューブヘッド（２）の仕切り板（２４）に段差取り付け孔（３３）と同一の軸線を有する固定孔（２３）が設けられ、復帰部材（８）がつけられている締め付け部材（７）は段差取り付け孔（３３）を貫通し、且つ固定孔（２３）と係合し、復帰部材（８）が段差取り付け孔（３３）内に位置し、
前記電源ユニット（５）とランプパネルユニット（４）の間に絶縁板（１４）を設け、ランプパネルユニット（４）の下端にランプカバー（１０）を設け、ランプカバー（１０）がランプチューブ（１）に固定され、前記固定孔（２３）と下チューブヘッド（２）の内壁の間の仕切り板（２４）に補強リブ（１３）を設け、前記上チューブヘッド（３）の外側にランプ脚（９）と係合するチューブヘッド保護カバー（１２）を設け、前記上チューブヘッド（３）の段差取り付け孔（３３）内にチューブ栓（１１）を設け、チューブ栓（１１）が締め付け部材（７）の外側に位置することを特徴とするＬＥＤ回転式電源内蔵昼光ランプ。
【請求項７】
前記電源ユニット（５）とランプパネルユニット（４）の間に絶縁板（１４）を設け、ランプパネルユニット（４）の下端にランプカバー（１０）を設け、ランプカバー（１０）がランプチューブ（１）に固定され、前記固定孔（２３）と下チューブヘッド（２）の内壁の間の仕切り板（２４）に補強リブ（１３）を設け、前記上チューブヘッド（３）の外側にランプ脚（９）と係合するチューブヘッド保護カバー（１２）を設け、前記上チューブヘッド（３）の段差取り付け孔（３３）内にチューブ栓（１１）を設け、チューブ栓（１１）が締め付け部材（７）の外側に位置することを特徴とする請求項４に記載のＬＥＤ回転式電源内蔵昼光ランプ。
【発明の詳細な説明】
【技術分野】
【０００１】
本発明は、昼光ランプに係り、特にＬＥＤ回転式電源内蔵昼光ランプに係る。
【背景技術】
【０００２】
ＬＥＤはポテンシャルの高い産業として、様々な発光する場面に幅広く応用されており、特に近年のＬＥＤ技術の発展によって、ＬＥＤの発光効率が大幅に高まるため、照明市場に注目されている。室内照明において、現在最も普及しているのは蛍光ランプであり、即ち昼光ランプである。現在、市場ではＬＥＤを内蔵電源として製造された昼光ランプが多く存在しており、それらはＬＥＤの優れた性能によって、蛍光ランプに代わる新しい照明器具になっている。
【０００３】
しかしながら、現在市販のＬＥＤを内蔵電源としての昼光ランプに、２つの著しい技術欠陥がある。まず、そのＬＥＤ電源パネルとランプパネルはいずれも電線による接続を採用しており、このような構造は電源パネルとランプパネルの接続が不安定という問題を起こすとともに、取り付ける際に電線圧着や電線が引きちぎれるなどの状況を起こしかねず、また、電線は作業時の高圧、高温に影響される。それから、従来のＬＥＤを内蔵電源としての昼光ランプはバリエーションが少なく、単機能で、ランプチューブを回転調整することができず、様々な作業環境での照明要求を満たすことができない。
【発明の概要】
【発明が解決しようとする課題】
【０００４】
本発明の目的は、上記の従来技術の欠点を解決するために、電源ユニットとランプパネルユニットの接続の安定性を上げ、且つ電気性能を高め、同時に光の照射角度を随意に調整できるＬＥＤ回転式電源内蔵昼光ランプを提供することである。
【課題を解決するための手段】
【０００５】
上記目的を実現するために、本発明の設計したＬＥＤ回転式電源内蔵昼光ランプは、ランプチューブと、電源ユニットと、ランプパネルユニットと、上チューブヘッドと、下チューブヘッドとを含み、上チューブヘッドと下チューブヘッドはいずれも２つ設けられており、各上チューブヘッドにそれぞれランプ脚を対称的に設け、電源ユニット及びランプパネルユニットがランプチューブ内に位置し、２つの下チューブヘッドをそれぞれランプチューブの両端に被設し、各下チューブヘッドの外側にそれぞれ１つの上チューブヘッドを嵌設し、その特徴として、前記電源ユニットとランプパネルユニットの間に、電源ユニットとランプパネルユニットとの電気接続を実現するピンヘッダが設けられ、ピンヘッダに両側が対応して接続されるピンを設け、電源ユニット及びランプパネルユニットにそれぞれピンと溶接する接続挿入孔を設け、電源ユニット及びランプパネルユニットにおける接続挿入孔がそれぞれ対応する電気接続回路に接続しており、前記２つの上チューブヘッドの開口端にそれぞれ１つ以上の位置調整ボス及び位置制限ボスを設け、２つの下チューブヘッド内にそれぞれ仕切り板を設け、仕切り板と下チューブヘッド内壁との連結部にそれぞれ１つ以上の位置調整ストッパー及び位置制限ストッパーを設け、位置調整ストッパー及び位置制限ストッパーがそれぞれ上チューブヘッドの開口端の位置調整ボス及び位置制限ボスと係合し、仕切り板にさらに配線孔を設ける。
【０００６】
上記構造における電源ユニットとランプパネルユニットはピンヘッダを介して直接に固接され、接続が強固になり、使用中に電源が揺れず、且つピンヘッダによる接続は電気性能が良く、中間の電線接続に代わり、電線圧着や電線が引きちぎれるリスクを回避し、高温、高圧によるランプ全体への影響を軽減するとともに、仕切り板と下チューブヘッド内壁との連結部に設ける位置調整ストッパー及び位置制限ストッパーが上チューブヘッドの開口端に設ける位置調整ボス及び位置制限ボスと係合し、光の照射角度を随意に調整できる目的が実現される。
【０００７】
好ましくは、前記電源ユニットがランプパネルユニットの上端に位置し、ピンヘッダに４組のピンを設け、電源ユニット及びランプパネルユニットにそれぞれ４組のピンと溶接する４つの接続挿入孔を設け、前記各上チューブヘッドの開口端にそれぞれ２つの位置調整ボス及び２つの位置制限ボスを設け、２つの位置調整ボスと２つの位置制限ボスはいずれも対称的に設置され、且つ上チューブヘッドの開口端に沿って十字に交差配置され、各下チューブヘッド内壁と仕切り板との連結部にそれぞれ６つの位置調整ストッパー及び２つの位置制限ストッパーを設け、６つの位置調整ストッパー及び２つの位置制限ストッパーは下チューブヘッド内壁に沿って４５°でリング状に配置され、且つ６つの位置調整ストッパーは２つずつ対称的に設置され、２つの位置制限ストッパーは対称的に設置される。
【０００８】
安定性を上げるために、前記上チューブヘッドと下チューブヘッドは復帰部材がつけられている締め付け部材によって固定され、上チューブヘッドに段差取り付け孔が内蔵され、下チューブヘッドの仕切り板に段差取り付け孔と同一の軸線を有する固定孔が設けられ、復帰部材がつけられている締め付け部材は取り付け孔を貫通し、且つ固定孔と係合し、復帰部材が段差取り付け孔内に位置する。
【０００９】
回転しやすくし且つ位置制限機能を持たせるために、前記位置制限ボスに位置制限脚を設け、位置制限ストッパーはＬ状を呈し、且つその横方向部分と縦方向部分との交差部から下チューブヘッド内壁までの間隔距離が、位置調整ボスの厚さより大きく、位置制限ボスから伸び出した位置制限脚の伸び出し長さより小さく、位置制限ストッパーの高さは位置調整ストッパーの高さより大きく、上チューブヘッドが位置調整ストッパーから離脱するように引き抜かれる時の引き抜き距離は、位置調整ストッパーの高さより大きく且つ位置制限ストッパーの高さより小さい。
【００１０】
使用上の安全性をさらに高めるために、前記電源ユニットとランプパネルユニットの間に絶縁板を設け、ランプパネルユニットの下端にランプカバーを設け、ランプカバーがランプチューブに固定され、取り付けの強度を上げるために、固定孔と下チューブヘッドの内壁の間の仕切り板に補強リブを設け、且つ使用寿命を延ばすために、前記上チューブヘッドにランプ脚と係合するチューブヘッド保護カバーを設け、前記上チューブヘッドの段差取り付け孔内にチューブ栓を設け、チューブ栓が締め付け部材の外側に位置する。
【発明の効果】
【００１１】
本発明によるＬＥＤ回転式電源内蔵昼光ランプにおいて、電源ユニットとランプパネルユニットはピンヘッダを介して直接に固接され、接続が強固になり、使用中に電源が揺れず、且つピンヘッダによる接続は電気性能が良く、中間の電線接続に代わり、電線圧着や電線が引きちぎれるリスクを回避し、高温、高圧によるランプ全体への影響を軽減し、仕切り板と下チューブヘッド内壁との連結部に設ける位置調整ストッパー及び位置制限ストッパーが上チューブヘッドの開口端に設ける位置調整ボス及び位置制限ボスと係合し、光の照射角度を随意に調整できる目的が実現される。同時に安定性を上げるために、前記上チューブヘッドと下チューブヘッドは復帰部材がつけられている締め付け部材によって固定され、取り付けの強度を上げるために、前記固定孔と下チューブヘッドの内壁の間の仕切り板に補強リブを設け、回転しやすくし且つ位置制限機能を持たせるために、前記位置制限ボスに位置制限脚を設け、位置制限ストッパーはＬ状を呈し、且つその横方向部分と縦方向部分との交差部から下チューブヘッド内壁までの間隔距離が、位置調整ボスの厚さより大きく、位置制限ボスから伸び出した位置制限脚の伸び出し長さより小さく、位置制限ストッパーの高さは位置調整ストッパーの高さより大きく、上チューブヘッドが位置調整ストッパーから離脱するように引き抜かれる時の引き抜き距離は、位置調整ストッパーの高さより大きく且つ位置制限ストッパーの高さより小さい。且つ使用上の安全性をさらに高めるために、前記電源ユニットがランプパネルユニットの上端に位置し、電源ユニットとランプパネルユニットの間に絶縁板を設け、ランプパネルユニットの下端にランプカバーを設け、最後に使用寿命を延ばすために、前記上チューブヘッドにランプ脚と係合するチューブヘッド保護カバーを設け、前記上チューブヘッドの段差取り付け孔内にチューブ栓を設ける。
【図面の簡単な説明】
【００１２】
【図１】実施例１の全体構造説明図である。
【図２】実施例１における電源ユニットとランプパネルユニットのピンヘッダによる接続の全体構造説明図である。
【図３】実施例１における電源ユニットとランプパネルユニットのピンヘッダによる接続構造の分解組立図である。
【図４】実施例１における上チューブヘッドと下チューブヘッドの回転可能に係合する構造の分解組立図である。
【図５】実施例１における上チューブヘッドの構造説明図である。
【図６】実施例１における下チューブヘッドと上チューブヘッドとの係合面の構造説明図である。
【図７】実施例１における上チューブヘッドと下チューブヘッドの回転可能な係合のロック状態の全体構造断面図である。
【図８】実施例１における上チューブヘッドと下チューブヘッドの回転可能な係合の回転可能状態の全体構造断面図である。
【図９】実施例２の全体構造説明図である。
【図１０】実施例２における上チューブヘッドと下チューブヘッドの回転可能に係合する構造の分解組立図である。
【図１１】実施例２における下チューブヘッドと上チューブヘッドとの係合面の構造説明図である。
【発明を実施するための形態】
【００１３】
以下では図面及び実施例と結びつけて本発明についてさらに説明する。
【実施例１】
【００１４】
図１に示すように、本発明の提供するＬＥＤ回転式電源内蔵昼光ランプは、ランプチューブ１と、電源ユニット５と、ランプパネルユニット４と、２つの上チューブヘッド３と、２つの下チューブヘッド２とを含み、各上チューブヘッド３にそれぞれランプ脚９を対称的に設け、電源ユニット５及びランプパネルユニット４がランプチューブ１内に位置し、電源ユニット５がランプパネルユニット４の上端に位置し、２つの下チューブヘッド２をそれぞれランプチューブ１の両端に被設し、各下チューブヘッド２の外側にそれぞれ１つの上チューブヘッド３を嵌設し、図２、図３に示すように、電源ユニット５とランプパネルユニット４の間に、電源ユニット５とランプパネルユニット４との電気接続を実現するピンヘッダ６が設けられ、ピンヘッダ６に両側が対応して接続される４組のピン６１を設け、電源ユニット５及びランプパネルユニット４にそれぞれピン６１と溶接する接続挿入孔４５を４つ設け、電源ユニット５及びランプパネルユニット４における接続挿入孔４５がそれぞれ対応する電気接続回路に接続し、図４、図６に示すように、２つの上チューブヘッド３の開口端にそれぞれ２つの位置調整ボス３２及び２つの位置制限ボス３１を設け、２つの位置調整ボス３２と２つの位置制限ボス３１はいずれも対称的に設置され、且つ上チューブヘッド３の開口端に沿って十字に交差配置され、各下チューブヘッド２内壁と仕切り板２４との連結部にそれぞれ６つの位置調整ストッパー２２及び２つの位置制限ストッパー２１を設け、６つの位置調整ストッパー２２及び２つの位置制限ストッパー２１は下チューブヘッド内壁に沿って４５°でリング状に配置され、且つ６つの位置調整ストッパー２２は２つずつ対称的に設置され、２つの位置制限ストッパー２１は対称的に設置され、位置調整ストッパー２２及び位置制限ストッパー２１がそれぞれ上チューブヘッド３の開口端の位置調整ボス３２及び位置制限ボス３１と係合し、無論、上記位置調整ボス３２、位置制限ボス３１、位置調整ストッパー２２、及び位置制限ストッパー２１の具体的な数は実際の光の照射角度への要求によって決めても構わず、ここでは例の列挙を省く。また、仕切り板２４にさらに配線孔２５を設ける。
【００１５】
図５に示すように、位置制限ボス３１に位置制限脚３１１を設け、位置制限ストッパー２１はＬ状を呈し、且つその横方向部分と縦方向部分との交差部から下チューブヘッド２内壁までの間隔距離が、位置調整ボス３２の厚さより大きく、位置制限ボス３１から伸び出した位置制限脚３１１の伸び出し長さより小さく、位置制限ストッパー２１の高さは位置調整ストッパー２２の高さより大きく、上チューブヘッド３が位置調整ストッパー２２から離脱するように引き抜かれる時の引き抜き距離は、位置調整ストッパー２２の高さより大きく且つ位置制限ストッパー２１の高さより小さい。
【００１６】
上チューブヘッド３と下チューブヘッド２の内部接続の方式は以下の通りである。上チューブヘッド３と下チューブヘッド２は復帰部材８がつけられている締め付け部材７によって固定され、締め付け部材はネジ、ボルトなどで構わず、復帰部材はスプリング、弾性ワッシャーなどで構わず、上チューブヘッド３に段差取り付け孔３３が内蔵され、下チューブヘッド２の仕切り板２４に段差取り付け孔３３と同一の軸線を有する固定孔２３が設けられ、復帰部材８がつけられている締め付け部材７は段差取り付け孔３３を貫通し、且つ固定孔２３と係合し、復帰部材８が段差取り付け孔３３内に位置する。上記接続方式は安定性が高い。
【００１７】
上記構造において、電源ユニット５とランプパネルユニット４はピンヘッダ６を介して直接に固接され、接続が強固になり、使用中に電源が揺れず、且つピンヘッダ６による接続は電気性能が良く、中間の電線接続に代わり、電線圧着や電線が引きちぎれるリスクを回避し、高温、高圧によるランプ全体への影響を軽減するとともに、各下チューブヘッド２内壁と仕切り板２４との連結部に設ける６つの位置調整ストッパー２２及び２つの位置制限ストッパー２１が上チューブヘッド３の開口端に設ける２つの位置調整ボス３２及び２つの位置制限ボス３１と係合し、光の照射角度を０°、４５°、９０°、及び−４５°に入れ替わる目的が実現される。
【００１８】
具体的な実施において、ピンヘッダ６を介して電源ユニット５とランプパネルユニット４を取り付ける際に、ピンヘッダ６における両側が対応して接続される４組のピン６１の上端を電源ユニット５の４つの接続挿入孔４５内に挿入し、且つ溶接を行い、ピンヘッダ６における両側が対応して接続される４組のピン６１の下端をランプパネルユニット４の４つの接続挿入孔４５内に挿入し、同じく溶接を行う。図７、図８に示すように、使用中にランプチューブ１の回転調整を行い、ユーザは上チューブヘッド３を引っ張って回転させればよい。上チューブヘッド３と下チューブヘッド２の間は位置調整ボス３２、位置制限ボス３１及び位置調整ストッパー２２、位置制限ストッパー２１によって係合して接続され、且つ上チューブヘッド３の段差取り付け孔３３内に復帰部材８が位置しているため、上チューブヘッド３を引っ張る場合、復帰部材８の張力及び上チューブヘッド３と下チューブヘッド２との連結部にある隙間の２重条件によって、上チューブヘッド３は外に向けてある程度の距離を移動することになり、その時、手動で次の位置調整ストッパー２２のところまで回転させ、それから上チューブヘッド３における位置調整ボス３２と下チューブヘッド２における位置調整ストッパー２２に合わせ、「カチャ」という音を聞こえた後に手を放せば、上チューブヘッド３と下チューブヘッド２とは係止され、復帰部材８も最初の位置に戻り、復帰部材８が予圧を有しているため、上チューブヘッド３と下チューブヘッド２は緩まない。
【実施例２】
【００１９】
図９、図１０、図１１に示すように、本実施例の提供するＬＥＤ回転式電源内蔵昼光ランプにおいて、その大体の構造は実施例１と一致しており、しかし使用上の安全性をさらに高めるために、前記電源ユニット５とランプパネルユニット４の間に絶縁板１４を設け、ランプパネルユニット４の下端にランプカバー１０を設け、ランプカバー１０がランプチューブ１に固定され、取り付けの強度を上げるために、前記固定孔２３と下チューブヘッド２の内壁の間の仕切り板２４に補強リブ１３を設け、且つ使用寿命を延ばすために、前記上チューブヘッド３にランプ脚９と係合するチューブヘッド保護カバー１２を設け、前記上チューブヘッド３の段差取り付け孔３３内にチューブ栓１１を設け、チューブ栓１１が締め付け部材７の外側に位置する。
【符号の説明】
【００２０】
１  ランプチューブ
２  下チューブヘッド
２１  位置制限ストッパー
２２  位置調整ストッパー
２３  固定孔
２４  仕切り板
２５  配線孔
３  上チューブヘッド
３１  位置制限ボス
３２  位置調整ボス
３３  段差取り付け孔
３１１  位置制限脚
４  ランプパネルユニット
４５  接続挿入孔
５  電源ユニット
６  ピンヘッダ
６１  ピン
７  締め付け部材
８  復帰部材
９  ランプ脚
１０  ランプカバー
１１  チューブ栓
１２  チューブヘッド保護カバー
１３  補強リブ
１４  絶縁板
【図１】
0005635703.tif 000002
【図２】
0005635703.tif 000003
【図３】
0005635703.tif 000004
【図４】
0005635703.tif 000005
【図５】
0005635703.tif 000006
【図６】
0005635703.tif 000007
【図７】
0005635703.tif 000008
【図８】
0005635703.tif 000009
【図９】
0005635703.tif 000010
【図１０】
0005635703.tif 000011
【図１１】
0005635703.tif 000012